(57)【要約】【課題】使い勝手が良く使用安全性も兼ねる化粧品容器を提供する。【解決手段】周壁２２は、外向きに膨らむように底面視でアーク形状に形成され、底壁２１及び周壁２２の間の曲がり壁２３は丸くなるようアーク形状に形成されている。第１の凹部２５４は収容部側に向かって凹陥して設けられている。第１の屈曲部２５３は、第１の凹部２５４から繋ぎ面部２５１側及び底壁２１側に向かって丸みを付けるよう折れ曲がって連続するように設けられ、また、側面視で略Ｕの字形状のアーク線に呈するように設けられている。【選択図】図１
0003210715.tif 000002
【実用新案登録請求の範囲】
【請求項１】
化粧料を収容してユーザーが持ち上げて使用する化粧品容器であって、上記化粧料を入れる収容部を有するように上部が開放した容器本体と、前記容器本体に対して開閉自在に蓋して前記収容部を閉塞するように設けられた容器カバーとを備え、
前記容器本体は、前記収容部を画成するように設けられた底壁と、前記底壁の外周から立ち上がる周壁と、を有し、
前記周壁は、前記ユーザーから見た手前側から奥側に跨る前後方向の両端側の２つの下部端面と、前記前後方向と直角である前記ユーザーに対しての左右方向の両側の２つの下部側面とを有し、
前記下部側面はそれぞれ、２つの前記下部端面に連続して連結された前後両端側の２つの繋ぎ面部と、２つの前記繋ぎ面部の間に設けられて前記ユーザーが手を当てる第１の当て面部と、前記繋ぎ面部と前記第１の当て面部との間を連結した第１の屈曲部とを有し、
前記第１の当て面部は、前記収容部側に窪む第１の凹部が設けられ、
前記第１の屈曲部は、前記第１の凹部から前記繋ぎ面部に連続して曲がるように設けられ、
前記容器カバーは、その前記前後方向の後端が前記容器本体に対して回動可能に枢着され、その前記前後方向の前端が前記容器本体に対して開閉自在に蓋して閉塞するように設けられた、ことを特徴とする化粧品容器。
【請求項２】
２つの前記第１の当て面部はそれぞれ、前記前後方向に対して対称するように対応する前記下部側面の略中央に設けられていることを特徴とする請求項１に記載の化粧品容器。
【請求項３】
前記第１の屈曲部は、側面視で下向きに窪む略Ｕの字形状に形成されていることを特徴とする請求項１又は２に記載の化粧品容器。
【請求項４】
前記底壁は、その周辺の角を丸くしてアール形状に形成された底面視でアーク形状になったものであることを特徴とする請求項１〜３のいずれかの一項に記載の化粧品容器。
【請求項５】
前記底壁及び前記周壁の間には外向きに丸みを帯びるようアーク形状に形成された曲がり壁を有し、
２つの前記下部側面は、前記曲がり壁に連続して膨らむように底面視でアーク形状に形成されたことを特徴とする請求項１〜４のいずれかの一項に記載の化粧品容器。
【請求項６】
前記容器カバーは、前記収容部を閉塞して閉じるように設けられたカバー壁を有し、前記カバー壁は、その中央が上面視で略水平状になった平らの上面部と、前記上面部を挟んで前記前後方向の両端側の２つの上部端面と、前記上面部を挟んで前記左右方向の両側の２つの上部側面とを有し、
２つの前記上部端面及び２つの前記上部側面は前記上面部から連続して外向きに膨らみ丸みを付けてアーク形状に形成され、
２つの前記上部側面はそれぞれ、前記第１の当て面部に対応する第２の当て面部を設け、前記第２の当て面部において前記第１の凹部に対応して第２の凹部が前記収容部側に凹陥するように設けられている、ことを特徴とする請求項１〜５のいずれかの一項に記載の化粧品容器。
【請求項７】
前記第２の凹部はそれぞれ、前記前後方向に対して対称するように対応する前記第２の当て面部の略中央に設けられていることを特徴とする請求項６に記載の化粧品容器。
【請求項８】
前記カバー壁は、その周辺の角を丸くしてアール形状に形成された上面視でアーク形状になったものであることを特徴とする請求項６又は７に記載の化粧品容器。
【請求項９】
前記第２の凹部は、前記第１の凹部と連続して前記第１の凹部とにより鉢形状になるように前記収容部側に凹陥して形成されたことを特徴とする請求項６〜８のいずれかの一項に記載の化粧品容器。
【請求項１０】
前記化粧品容器は、その周りの角を丸くしてアール形状に形成された略方形状になっていることを特徴とする請求項１〜９のいずれかの一項に記載の化粧品容器。
【考案の詳細な説明】
【技術分野】
【０００１】
本考案は、容器に関し、特に化粧品容器に関する。
【背景技術】
【０００２】
図６には、従来から用いられた化粧品容器の一例の外観を示している。この化粧品容器は、例えば化粧料を入れる収容部を有するように上部が開放した上面視で円形状に形成された容器本体１１と、容器本体１１を蓋して閉塞するために容器本体１１に対して開閉するように回動可能に連結された容器カバー１２とを備えている。容器本体１１は、円形状の底壁部１１１と、底壁部１１１の外周縁から上方に立ち上がってなった周壁部１１２とからなっている。
【０００３】
図７と図８には、従来から使われた化粧品容器の他例の外観を示している。この化粧品容器は、下部ケース１３と上部ケース１４とにより長く形成されており、長手方向の一端において上部ケース１４が下部ケース１３と回動可能に連結され、長手方向の他端において上部ケース１４が下部ケース１３に対して蓋して閉じるように着脱可能に係着される。
【考案の概要】
【考案が解決しようとする課題】
【０００４】
図６に示す従来の化粧品容器では、容器本体１１と容器カバー１２は上下同一の面状になるように設けられているので、片手の掌に載せても指先で良好に掴むことができず、また、容器カバー１２を蓋する時は指先が挟まれやすいといった問題点がある。
【０００５】
図７、８に示す従来の化粧品容器は、その一端を他端よりも幅広にすることにより該化粧品容器の両側が滑らかな曲線になっている。これによって、該化粧品容器を良好に掴むことができる。しかし、上部ケース１４と下部ケース１３との隣接側壁１４１、１３１は互いに同一の面状になるように設けられているので、上部ケース１４を蓋する時は指先が挟まれやすいといった問題点がある。また、該化粧品容器を片手の掌に載せて該片方の手の指で上部ケース１４と下部ケース１３との隣接側壁１４１、１３１を押さえながら他方の手の指で開ける時は、隣接側壁１４１、１３１を押えている指が逆に邪魔になって開け難くなる問題点もある。
【０００６】
本考案は、使い勝手が良く使用安全性も兼ねる化粧品容器を提供することを目的とする。
【課題を解決するための手段】
【０００７】
上記目的を達成するために、本考案は、化粧料を収容してユーザーが持ち上げて使用する化粧品容器であって、上記化粧料を入れる収容部を有するように上部が開放した容器本体と、前記容器本体に対して開閉自在に蓋して前記収容部を閉塞するように設けられた容器カバーとを備え、前記容器本体は、前記収容部を画成するように設けられた底壁と、前記底壁の外周から立ち上がる周壁と、を有し、前記周壁は、前記ユーザーから見た手前側から奥側に跨る前後方向の両端側の２つの下部端面と、前記前後方向と直角である前記ユーザーに対しての左右方向の両側の２つの下部側面とを有し、前記下部側面はそれぞれ、２つの前記下部端面に連続して連結された前後両端側の２つの繋ぎ面部と、２つの前記繋ぎ面部の間に設けられて前記ユーザーが手を当てる第１の当て面部と、前記繋ぎ面部と前記第１の当て面部との間を連結した第１の屈曲部とを有し、前記第１の当て面部は、前記収容部側に窪む第１の凹部が設けられ、前記第１の屈曲部は、前記第１の凹部から前記繋ぎ面部に連続して曲がるように設けられ、前記容器カバーは、その前記前後方向の後端が前記容器本体に対して回動可能に枢着され、その前記前後方向の前端が前記容器本体に対して開閉自在に蓋して閉塞するように設けられたを特徴とする化粧品容器を提供する。
【考案の効果】
【０００８】
本考案に係る化粧品容器では、第１の屈曲部は、第１の凹部から繋ぎ面部に連続して折れ曲がるように設けられ、また、第１の凹部は収容部側に向かって凹陥して設けられていることにより、ユーザーが指を第１の当て面部に突き当てれば、化粧品容器を安定して持ち上げることができる。また、該化粧品容器を片手の掌に載せて該片方の手の指で両側の上部側面と容器カバーを押さえながら他方の手の指で開ける時は、片手の指先を第１の凹部による窪みに置くと共に第１の屈曲部に寄り掛かれば容器本体と容器カバーの間に該指先が挟まれずに済む。また、該片方の手の指を第１の凹部による窪みに置くと共に第１の屈曲部に寄せれば、容器カバーの開閉の邪魔にならず、他方の手の指で簡単に開けることができる。第１の屈曲部の曲がり及び第１の凹部による窪みによって、それらを触ることで指を掛ける箇所が分かるので、化粧品容器を良く見なくても化粧品容器を持ち上げることができる。
【０００９】
本考案の他の特徴および利点は、添付の図面を参照する以下の実施形態の詳細な説明において明白になるであろう。
【図面の簡単な説明】
【００１０】
【図１】本考案に係る化粧品容器の一例の外観を示す図である。
【図２】図１の底面図である。
【図３】図１の側面図である。
【図４】図１の上面図である。
【図５】図４における線Ｖ−Ｖの断面図であり、指で掴んでいる状態を示している。
【図６】従来の化粧品容器の一例を示す斜視図である。
【図７】従来の化粧品容器の他例を示す斜視図である。
【図８】図７の正面図である。
【考案を実施するための形態】
【００１１】
以下、本考案に係る化粧品容器の一例について図面を参照して説明する。
【００１２】
(実施例)
図１〜図５は、本考案に係る化粧品容器の一例を示している。この化粧品容器は、その周りの角を例えば面取り加工により丸く形成された略方形状になっており、例えば化粧料を入れる収容部を有するように上部が開放した、底面視で例えば略四方形状に形成された容器本体２と、その一端が該容器本体２に対して回動可能に枢着され、その他端が容器本体２に対して開閉自在に蓋して閉塞するように連結される、上面視で例えば略四方形状に形成された容器カバー３とを備えている。なお、容器本体２と容器カバー３との枢着された一端をユーザーから見て奥側である「後端」とし、係着された他端をユーザーから見て手前側である「前端」とし、両端の間を跨る方向を前後方向Ｌ１とする。また、前後方向Ｌ１と同一平面で且つ前後方向Ｌ１と直角の方向を左右方向Ｌ２とする。また、前後方向Ｌ１及び左右方向Ｌ２と直角の方向を上下方向Ｌ３とする。
【００１３】
容器本体２は、その内部に例えば化粧料を入れる収容部２０（図５）を有し、例えば掌やテーブルの上に載置される平らな底壁２１と、底壁２１に対して底壁２１の外周から上方に立ち上がる周壁２２と、からなっている。底壁２１及び周壁２２の間には外向きに丸みを帯びるようアーク形状に曲がった曲がり壁２３を有する。
【００１４】
容器本体２の底壁２１は、例えば図２に示すように、上下方向Ｌ３の底面視で略方形状に形成されており、その周辺の４つの角を丸くして第１のアール部２１１、２１１、・・・が形成されている。
【００１５】
容器本体２の周壁２２は、底壁２１の曲がり壁２３より連続して丸みを付けて底面視でアーク形状に形成され、前後方向Ｌ１の両端側の２つの下部端面２４、２４と、左右方向Ｌ２の両側の２つの下部側面２５、２５とを有する。
【００１６】
２つの下部端面２４は、それぞれ対応する両側の下部側面２５、２５及び底壁２１の間を連結すると共に曲がり壁２３の外表面より連続して膨らむように底面視でアーク形状に形成されている。手前側の下部端面２４は、容器カバー３が容器本体２に対して開閉自在に係着される下部係着部が設けられている。奥側の下部端面２４は、容器カバー３が容器本体２に対して回動自在に枢着される下部枢着部が設けられている。
【００１７】
２つの下部側面２５、２５はそれぞれ、両端側の下部端面２４に連続して連結された前後両端側の２つの繋ぎ面部２５１と、２つの繋ぎ面部２５１の間に設けられ、ユーザーが掴む際に指（図５、符号９１、９２で示す）を当てる第１の当て面部２５２と、繋ぎ面部２５１、２５１と第１の当て面部２５２との間を繋いで連結した第１の屈曲部２５３とを有する。
【００１８】
２つの第１の当て面部２５２は、それぞれ前後方向Ｌ１に対して対称するように２つの繋ぎ面部２５１、２５１の間に対応する下部側面２５の略中央に設けられている。第１の当て面部２５２は、第１の凹部２５４が収容部２０側に窪むように設けられている。
【００１９】
第１の屈曲部２５３は第１の当て面部２５２における第１の凹部２５４から繋ぎ面部２５１及び曲がり壁２３に向かって折れ曲がって連続している。なお、第１の屈曲部２５３は、側面視で底壁２１側に窪む略Ｕの字形状の曲線となる。
【００２０】
容器カバー３は、例えば図４に示すように、上下方向Ｌ３の上面視で略方形状に形成され、収容部２０を閉塞して閉じるように設けられたカバー壁３１を有する。カバー壁３１は、図３を合わせて見ると、その周辺の４つの角を丸くして第２のアール部３１１、３１１、・・・が形成され、その中央が上面視で略水平状になった平らの上面部３２と、上面部３２を挟んで前後方向Ｌ１の両端側の２つの上部端面３３、３３と、上面部３２を挟んで左右方向Ｌ２の両側の２つの上部側面３４、３４とを有する。２つの上部端面３３、２つの上部側面３４は上面部３２から続いて丸くなるようアーク形状に形成されている。
【００２１】
手前側の上部端面３３は、容器カバー３が容器本体２に対して開閉自在になるよう下部係着部と係着される上部係着部が設けられている。奥側の上部端面３３は、容器カバー３が容器本体２に対して回動自在に枢着される上部枢着部が下部枢着部に枢支されるように設けられている。
【００２２】
２つの上部側面３４、３４はそれぞれ、ユーザーが掴む際に指（図５、符号９１、９２）を当てるように第１の当て面部２５２と連続して設けられた第２の当て面部３５を有する。第２の当て面部３５は、それぞれ前後方向Ｌ１に対して対称するように対応する上部側面３４の略中央に設けられている。２つの上部側面３４、３４の略中間は収容部２０側に例えば切り欠いて窪む第２の凹部３５１が第１の凹部２５４と連続して窪むように上面部３２側に凹陥するように設けられ、第２の屈曲部３５２が上面部３２と第２の凹部３５１との間を繋いで連結されるように設けられている。
【００２３】
第２の凹部３５１はそれぞれ、前後方向Ｌ１に対して対称するように対応する第２の当て面部３５の略中央に設けられ、第１の当て面部２５２の第１の凹部２５４とにより収容部２０側に凹陥して鉢形状になる。
【００２４】
第２の屈曲部３５２は、第２の凹部３５１から上面部３２に向かって折れ曲がって連続している。なお、第２の屈曲部３５２は、側面視で上側に窪む略Ｕの字形状の曲線となる。
【００２５】
この例では、第１の屈曲部２５３は、第１の凹部２５４から繋ぎ面部２５１に向かって折れ曲がり、また、第１の凹部２５４が収容部２０側に向かって凹陥して設けられている。これによって、ユーザーが指９１、９２を第１の当て面部２５２と第２の当て面部３５に当てると、化粧品容器を安定して持ち上げることができる。また、指先を第１の凹部２５４又は／及び第２の凹部３５１による窪みに置いて指の腹を第１の屈曲部２５３に突き当て寄り掛ければ容器本体２と容器カバー３の間に指先が挟まれずに済む。また、第１の凹部２５４又は／及び第２の凹部３５１が収容部２０側に窪んで凹陥しているので、第１の当て面部２５２を押さえている該片方の手の指が邪魔にならず、他方の手の指で簡単に開けることができる。
【００２６】
なお、図６に示す従来例の化粧品容器では、底壁部１１１と周壁部１１２とは、直角に連結されて設けられ、また、図７、図８に示す従来例の化粧品容器も下部ケース１３の底壁と側壁１３１と直角に連結されていて、例えば掌の上、テーブル上面等に化粧品容器を安定して置くことができるが、手に掴んだ時に角に掌が当たって痛みを感じたり掌や指に線状の痕が残ったりする不具合がある。
【００２７】
これに対してこの実施例では、指の負担を軽減するために人間工学に基づいて設計されるように、周壁２２は、収容部２０の外向きに膨らむように底面視でアーク形状に形成され、底壁２１及び周壁２２の間の曲がり壁２３は丸く加工をしてアーク形状に形成され、また、底壁２１や周壁２２、曲がり壁２３の周辺の角がアール形状の滑らかな曲線になるように底面視でアーク形状に形成されている。このように形成されると、人間工学に基づいて設計されており指に負担が掛かり難い。また、外見も良好に感じることができる。
【００２８】
以上のように構成された本考案に係る化粧品容器による動作及び作用について説明する。ユーザーは例えば該化粧品容器を持ち上げる時、図５に示されたように、第１の凹部２５４と第２の凹部３５１とによって鉢形状に形成された窪みによって、親指９１と中指９２を第１の当て面部２５２と第２の当て面部３５に安定して突き当てられるので、化粧品容器を安定して持つことができる。また、化粧品容器の周辺の角がアール形状の滑らかな曲線になっているので、人間工学に基づいて設計されており指に負担が掛かり難い。また、第１の屈曲部２５３と第２の屈曲部３５２の曲がり、及び第１の凹部２５４と第２の凹部３５１とによる窪みによって、化粧品容器を良く見なくてもそれらを触ることでどこを持てばいいのかが分かり、化粧品容器を安定して持ち上げることができる。また、該化粧品容器を片手の掌に載せて該片方の手の指９１、９２で両側の上部側面３４と下部側面２５を押さえながら他方の手の指で開ける時は、第１の凹部２５４と第２の凹部３５１とによる窪みによって、押さえている該片方の手の指が上部側面３４と下部側面２５をこすって邪魔することなく、他方の手の指で簡単に速やかに開けることができる。また、第１の当て面部２５２に設けられた第１の凹部２５４と第２の当て面部３５に設けられた第２の凹部３５１とは、収容部２０側に向かって凹陥して設けられているので、指９１、９２を第１の当て面部２５２と第２の当て面部３５に突き当てて持つと、第１の凹部２５４と第２の凹部３５１とによってずれることなく、また、簡単に落とすこともなく化粧品容器を安定して持ち上げることができると共に、指先を第１の凹部２５４と第２の凹部３５１とによる窪みに置けば容器本体２と容器カバー３との間に挟まれずに済む。これによって、従来のように掴み取った時は掌や指が角に突き当たって痛みを感じたり掌や指に線状の痕が残ったりする不具合がなく、また、化粧品容器を掌に載せる時は、掌を丸めても掴めなくなり落ちることもなく、良好に掴むことができる。
【００２９】
以上、本考案の好ましい実施例を説明したが、本考案はこれに限定されるものではなく、その要旨を逸脱しない範囲で種々変更可能であることはいうまでもない。
【産業上の利用可能性】
【００３０】
本考案に係る化粧品容器は、化粧料を入れる化粧品容器として有用である。
【符号の説明】
【００３１】
２  容器本体
２０  収容部
２１  底壁
２１１  第１のアール部
２２  周壁
２３  曲がり壁
２４  下部端面
２５  下部側面
２５１  繋ぎ面部
２５２  第１の当て面部
２５３  第１の屈曲部
２５４  第１の凹部
３  容器カバー
３１  カバー壁
３１１  第２のアール部
３２  上面部
３３  上部端面
３４  上部側面
３５  第２の当て面部
３５１  第２の凹部
３５２  第２の屈曲部
９１、９２  指
Ｌ１  前後方向
Ｌ２  左右方向
Ｌ３  上下方向
【図１】
0003210715.tif 000003
【図２】
0003210715.tif 000004
【図３】
0003210715.tif 000005
【図４】
0003210715.tif 000006
【図５】
0003210715.tif 000007
【図６】
0003210715.tif 000008
【図７】
0003210715.tif 000009
【図８】
0003210715.tif 000010